【手続補正書】
【提出日】平成17年9月12日(2005.9.12)
【手続補正１】
【補正対象書類名】明細書
【補正対象項目名】発明の名称
【補正方法】変更
【補正の内容】
【発明の名称】情報閲覧装置
【手続補正２】
【補正対象書類名】明細書
【補正対象項目名】特許請求の範囲
【補正方法】変更
【補正の内容】
【特許請求の範囲】
【請求項１】  出力するための情報を選択するための選択手段と、
前記選択手段により選択されている情報を出力するための出力手段と、
複数の情報のそれぞれに対して、前記選択手段により選択されている情報との関連度を算出するための関連度算出手段と、
前記選択手段により選択されている情報を前記関連度算出手段により算出された関連度に基づいて定まる情報に切替える切替手段とを備えた、情報閲覧装置。
【請求項２】  ユーザの嗜好を表わすユーザプロファイルデータを記憶するためのユーザプロファイル記憶手段と、
複数の情報のそれぞれに対して、前記ユーザプロファイルデータとの関連度を算出するための関連度算出手段と、
前記複数の情報の中から前記関連度算出手段により算出された関連度に基づいて定まる情報を選択するための選択手段と、
前記選択手段により選択されている情報を出力するための出力手段とを備えた、情報閲覧装置。
【請求項３】  外部情報を取得するための外部情報取得手段と、
複数の情報のそれぞれに対して、前記外部情報取得手段により取得された外部情報との関連度を算出するための関連度算出手段と、
前記複数の情報の中から前記関連度算出手段により算出された関連度に基づいて定まる情報を選択するための選択手段と、
前記選択手段により選択されている情報を出力するための出力手段とを備えた、情報閲覧装置。
【請求項４】  出力するための情報を選択するための選択手段と、
前記選択手段により選択されている情報を出力するための出力手段と、
前記選択手段により過去に選択された情報の履歴を記憶する選択情報履歴記憶手段と、
複数の情報のそれぞれに対して、前記選択情報履歴手段に記憶された情報との関連度を算出するための関連度算出手段と、
前記選択手段により選択されている情報を前記関連度算出手段により算出された関連度に基づいて定まる情報に切替える切替手段とを備えた、情報閲覧装置。
【請求項５】  出力するための情報を選択するための選択手段と、
前記選択手段により選択されている情報を出力するための出力手段と、
複数の情報のそれぞれに対して、重要度を算出するための重要度算出手段と、
前記重要度算出手段により所定の値を超える重要度が算出されたことを条件に、前記選択手段により選択されている情報を前記所定の値を超える重要度の情報に切替える重要情報切替手段とを備えた、情報閲覧装置。
【請求項６】  前記複数の情報は、各々、少なくとも１つの部分情報の集合からなる集合情報を含み、
前記関連度算出手段は、前記集合情報の部分情報ごとに関連度を算出する部分関連度算出手段を含み、
前記選択手段は、部分情報ごとの関連度に基づき定まる部分情報を選択する部分選択手段を含む、請求項１〜４のいずれかに記載の情報閲覧装置。
【請求項７】  前記複数の情報は、各々、時間の経過に伴って内容が変化する情報を含み、
前記関連度算出手段は、前記選択手段により選択されている情報を別の情報へ切替える指示が入力されたときの関連度を算出する、請求項１〜４のいずれかに記載の情報閲覧装置。
【請求項８】  前記複数の情報は、各々、時間の経過に伴って内容が変化する情報を含み、
前記重要度算出手段は、前記選択手段により選択されている情報を別の情報へ切替える指示が入力されたときの重要度を算出する、請求項５に記載の情報閲覧装置。
【請求項９】  前記出力手段は、前記選択手段により選択された情報から抽出された所定種類の情報を所定時間出力する所定情報出力手段を含む、請求項１〜５のいずれかに記載の情報閲覧装置。
【請求項１０】  前記選択手段により過去に選択された情報の履歴を記憶する選択情報履歴記憶手段と、
前記選択情報履歴記憶手段に記憶された情報を出力する履歴情報出力手段とをさらに備えた、請求項１〜３のいずれかに記載の情報閲覧装置。
【請求項１１】  前記選択情報履歴記憶手段に記憶された情報を出力する履歴情報出力手段をさらに備えた、請求項４に記載の情報閲覧装置。
【請求項１２】  前記選択手段により選択されている情報を、前記関連度に基づいて切り替えるための切替手段をさらに備え、
前記選択手段は、前記切替手段からの指示に応じて、前記関連度に基づいて定まる情報を選択する、請求項２に記載の情報閲覧装置。
【請求項１３】  前記選択手段は、前記切替手段からの指示に応じて選択した情報に、出力済みであることを表わす識別情報を付加し、
前記選択手段は、前記切替手段から切替指示があった場合に、前記識別情報が付加された情報を、選択対象から除外する、請求項１，４，１２のいずれかに記載の情報閲覧装置。
【請求項１４】  前記関連度に基づいて定まる情報とは異なる情報の選択を指示するための選択指示手段をさらに備え、
前記選択手段は、前記選択指示手段から指示があった場合には、前記識別情報を除去する、請求項１３に記載の情報閲覧装置。
【請求項１５】  前記切替手段は、前記選択手段に対し、前記関連度の高い情報の選択を指示するための類似情報選択指示手段と、前記関連度の低い情報の選択を指示するための非類似情報選択指示手段とから構成されることを特徴とする、請求項１，４，１２のいずれかに記載の情報閲覧装置。
【請求項１６】  前記関連度に基づいて定まる情報とは異なる情報の選択を指示するための選択指示手段をさらに備え、
前記選択指示手段は、前記複数の情報を所定の順に並べて、次の順を指示するための次情報選択指示手段と、前の順を指示するための前情報選択指示手段とから構成され、
前記切替手段は、前記次情報選択指示手段を配置した第１の位置と前記前情報選択指示手段を配置した第２の位置との線分に対して、前記第１の位置における垂直な直線と、前記第２の位置における垂直な直線とに挟まれた領域に、配置される、請求項１，４，１２のいずれかに記載の情報閲覧装置。
【請求項１７】  前記切替手段は、前記選択手段に対し、前記関連度の高い情報の選択を指示するための類似情報選択指示手段と、前記関連度の低い情報の選択を指示するための非類似情報選択指示手段とから構成され、
前記類似情報選択指示手段および前記非類似情報選択指示手段は、前記領域を、前記第１の位置と前記第２の位置との線分によって区切られる２つの異なる小領域に、それぞれ配置される、請求項１６に記載の情報閲覧装置。
【手続補正３】
【補正対象書類名】明細書
【補正対象項目名】０００１
【補正方法】変更
【補正の内容】
【０００１】
【発明の属する技術分野】
本発明は、所望の情報を閲覧するための情報閲覧装置に関する。
【手続補正４】
【補正対象書類名】明細書
【補正対象項目名】００１２
【補正方法】変更
【補正の内容】
【００１２】
【課題を解決するための手段】
上述の目的を達成するためにこの発明のある局面によれば、情報閲覧装置は、出力するための情報を選択するための選択手段と、選択手段により選択されている情報を出力するための出力手段と、複数の情報のそれぞれに対して、選択手段により選択されている情報との関連度を算出するための関連度算出手段と、選択手段により選択されている情報を関連度算出手段により算出された関連度に基づいて定まる情報に切替える切替手段とを備える。
【手続補正５】
【補正対象書類名】明細書
【補正対象項目名】００１３
【補正方法】変更
【補正の内容】
【００１３】
この発明に従えば、複数の情報それぞれに対して、選択されている情報との関連度が算出され、選択されている情報を別の情報へ切替える指示の入力に応じて、選択されている情報が関連度に基づいて定まる情報に切替えられ、出力される。このため、出力されている情報との関連度に基づいて定まる情報が出力されるので、出力されている情報に関連のある情報または関連のない情報に出力が切替えられる。その結果、複数の情報の中から所望する情報を容易に抽出することが可能な情報閲覧装置を提供することができる。
【手続補正６】
【補正対象書類名】明細書
【補正対象項目名】００１４
【補正方法】変更
【補正の内容】
【００１４】
この発明の他の局面によれば、情報閲覧装置は、ユーザの嗜好を表わすユーザプロファイルデータを記憶するためのユーザプロファイル記憶手段と、複数の情報のそれぞれに対して、ユーザプロファイルデータとの関連度を算出するための関連度算出手段と、複数の情報の中から関連度算出手段により算出された関連度に基づいて定まる情報を選択するための選択手段と、選択手段により選択されている情報を出力するための出力手段とを備える。
【手続補正７】
【補正対象書類名】明細書
【補正対象項目名】００１５
【補正方法】変更
【補正の内容】
【００１５】
この発明に従えば、複数の情報それぞれに対して、ユーザプロファイルデータとの関連度が算出され、複数の情報の中から算出された関連度に基づいて定まる情報が選択され、出力される。このため、複数の情報の中からユーザの嗜好に合致した情報を容易に抽出することが可能な情報閲覧装置を提供することができる。
【手続補正８】
【補正対象書類名】明細書
【補正対象項目名】００１６
【補正方法】変更
【補正の内容】
【００１６】
この発明のさらに他の局面によれば、情報閲覧装置は、外部情報を取得するための外部情報取得手段と、複数の情報のそれぞれに対して、外部情報取得手段により取得された外部情報との関連度を算出するための関連度算出手段と、複数の情報の中から関連度算出手段により算出された関連度に基づいて定まる情報を選択するための選択手段と、選択手段により選択されている情報を出力するための出力手段とを備える。
【手続補正９】
【補正対象書類名】明細書
【補正対象項目名】００１７
【補正方法】変更
【補正の内容】
【００１７】
この発明に従えば、複数の情報それぞれに対して、外部情報との関連度が算出され、複数の情報の中から算出された関連度に基づいて定まる情報が選択され、出力される。このため、外部の状況に適合した情報を閲覧することが可能な情報閲覧装置を提供することができる。
【手続補正１０】
【補正対象書類名】明細書
【補正対象項目名】００１８
【補正方法】変更
【補正の内容】
【００１８】
ここで外部情報とは、例えば時刻や天気などの情報、ユーザの体温や心拍などのユーザに固有の情報、情報閲覧装置に接続された別の装置の動作状況などのシステムに関する情報を含み、上記複数の情報とは別の情報であって、リアルタイムに変動しうる情報をいう。
【手続補正１１】
【補正対象書類名】明細書
【補正対象項目名】００１９
【補正方法】変更
【補正の内容】
【００１９】
この発明のさらに他の局面によれば、情報閲覧装置は、出力するための情報を選択するための選択手段と、選択手段により選択されている情報を出力するための出力手段と、選択手段により過去に選択された情報の履歴を記憶する選択情報履歴記憶手段と、複数の情報のそれぞれに対して、選択情報履歴手段に記憶された情報との関連度を算出するための関連度算出手段と、選択手段により選択されている情報を関連度算出手段により算出された関連度に基づいて定まる情報に切替える切替手段とを備える。
【手続補正１２】
【補正対象書類名】明細書
【補正対象項目名】００２０
【補正方法】変更
【補正の内容】
【００２０】
この発明に従えば、複数の情報それぞれに対して、過去に選択された情報との関連度が算出され、複数の情報の中から算出された関連度に基づいて定まる情報が選択され、出力される。このため、ユーザが過去に閲覧した情報に関連する情報を容易に閲覧することが可能な情報閲覧装置を提供することができる。
【手続補正１３】
【補正対象書類名】明細書
【補正対象項目名】００２１
【補正方法】変更
【補正の内容】
【００２１】
この発明のさらに他の局面によれば、情報閲覧装置は、出力するための情報を選択するための選択手段と、選択手段により選択されている情報を出力するための出力手段と、複数の情報のそれぞれに対して、重要度を算出するための重要度算出手段と、重要度算出手段により所定の値を超える重要度が算出されたことを条件に、選択手段により選択されている情報を所定の値を超える重要度の情報に切替える重要情報切替手段とを備える。
【手続補正１４】
【補正対象書類名】明細書
【補正対象項目名】００２３
【補正方法】変更
【補正の内容】
【００２３】
好ましくは、複数の情報は、各々、少なくとも１つの部分情報の集合からなる集合情報を含み、関連度算出手段は、集合情報の部分情報ごとに関連度を算出する部分関連度算出手段を含み、選択手段は、部分情報ごとの関連度に基づき定まる部分情報を選択する部分選択手段を含む。
【手続補正１５】
【補正対象書類名】明細書
【補正対象項目名】００２４
【補正方法】変更
【補正の内容】
【００２４】
この発明に従えば、複数の情報は、少なくとも１つの部分情報の集合からなる集合情報を含み、集合情報の部分情報ごとに関連度が算出され、部分情報ごとの関連度に基づき定まる部分情報が選択され、出力される。このため、情報を部分的に選択して出力することができる。
【手続補正１６】
【補正対象書類名】明細書
【補正対象項目名】００２５
【補正方法】変更
【補正の内容】
【００２５】
好ましくは、複数の情報は、各々、時間の経過に伴って内容が変化する情報を含み、関連度算出手段は、選択手段により選択されている情報を別の情報へ切替える指示が入力されたときの関連度を算出する。
【手続補正１７】
【補正対象書類名】明細書
【補正対象項目名】００２７
【補正方法】変更
【補正の内容】
【００２７】
好ましくは、複数の情報は、各々、時間の経過に伴って内容が変化する情報を含み、重要度算出手段は、選択手段により選択されている情報を別の情報へ切替える指示が入力されたときの重要度を算出する。
【手続補正１８】
【補正対象書類名】明細書
【補正対象項目名】００３２
【補正方法】変更
【補正の内容】
【００３２】
この発明に従えば、過去に選択された情報の履歴が記憶され、出力されるので、ユーザは過去に提示されていた情報を遡って閲覧することができる。その結果、情報をより容易に閲覧することができる。
好ましくは、選択情報履歴記憶手段に記憶された情報を出力する履歴情報出力手段をさらに備える。
好ましくは、選択手段により選択されている情報を、関連度に基づいて切り替えるための切替手段をさらに備え、選択手段は、切替手段からの指示に応じて、関連度に基づいて定まる情報を選択する。
好ましくは、選択手段は、切替手段からの指示に応じて選択した情報に、出力済みであることを表わす識別情報を付加し、選択手段は、切替手段から切替指示があった場合に、識別情報が付加された情報を、選択対象から除外する。
好ましくは、関連度に基づいて定まる情報とは異なる情報の選択を指示するための選択指示手段をさらに備え、選択手段は、選択指示手段から指示があった場合には、識別情報を除去する。
好ましくは、切替手段は、選択手段に対し、関連度の高い情報の選択を指示するための類似情報選択指示手段と、関連度の低い情報の選択を指示するための非類似情報選択指示手段とから構成されることを特徴とする。
好ましくは、関連度に基づいて定まる情報とは異なる情報の選択を指示するための選択指示手段をさらに備え、選択指示手段は、複数の情報を所定の順に並べて、次の順を指示するための次情報選択指示手段と、前の順を指示するための前情報選択指示手段とから構成され、切替手段は、次情報選択指示手段を配置した第１の位置と前情報選択指示手段を配置した第２の位置との線分に対して、第１の位置における垂直な直線と、第２の位置における垂直な直線とに挟まれた領域に、配置される。
好ましくは、切替手段は、選択手段に対し、関連度の高い情報の選択を指示するための類似情報選択指示手段と、関連度の低い情報の選択を指示するための非類似情報選択指示手段とから構成され、類似情報選択指示手段および非類似情報選択指示手段は、領域を、第１の位置と第２の位置との線分によって区切られる２つの異なる小領域に、それぞれ配置される。
【手続補正１９】
【補正対象書類名】明細書
【補正対象項目名】００３３
【補正方法】削除
【補正の内容】
【手続補正２０】
【補正対象書類名】明細書
【補正対象項目名】００３４
【補正方法】削除
【補正の内容】
【手続補正２１】
【補正対象書類名】明細書
【補正対象項目名】００３５
【補正方法】削除
【補正の内容】
【手続補正２２】
【補正対象書類名】明細書
【補正対象項目名】００３６
【補正方法】削除
【補正の内容】
【手続補正２３】
【補正対象書類名】明細書
【補正対象項目名】００３７
【補正方法】削除
【補正の内容】
【手続補正２４】
【補正対象書類名】明細書
【補正対象項目名】００３８
【補正方法】削除
【補正の内容】
【手続補正２５】
【補正対象書類名】明細書
【補正対象項目名】００３９
【補正方法】削除
【補正の内容】
【手続補正２６】
【補正対象書類名】明細書
【補正対象項目名】００４０
【補正方法】削除
【補正の内容】
【手続補正２７】
【補正対象書類名】明細書
【補正対象項目名】００４１
【補正方法】削除
【補正の内容】
【手続補正２８】
【補正対象書類名】明細書
【補正対象項目名】００４２
【補正方法】削除
【補正の内容】
【手続補正２９】
【補正対象書類名】明細書
【補正対象項目名】００４３
【補正方法】削除
【補正の内容】
【手続補正３０】
【補正対象書類名】明細書
【補正対象項目名】００４４
【補正方法】削除
【補正の内容】